(57)【特許請求の範囲】
【請求項１】
試験対象の外耳突起に装着された音響変換器の基準配置位置から出発して、各音響変換器の移動を行うことにより音響変換器の配置を実験的に最適化して正面方向へ聴性事象を定位する、ステレオヘッドホンの左右音響変換器の配置を最適化する方法であって
聴性事象の正面方向定位のためにステレオヘッドホンの音響変換器の配置を最適化するために各音響変換器の配置を、所定のステップ幅で下方と前方へ交互に繰返し移動することにより、聴性事象の正面方向定位のために、更に、下方へ正面方向の移動量を超えて移動させることを特徴とするステレオヘッドホンの音響変換器の配置を最適化する方法。
【請求項２】
請求項１に記載の方法において、所定のステップ幅は５ミリメートルより小さいことを特徴とする方法。
【請求項３】
請求項１または２に記載の方法において、外耳突起における音響放射効率を高くすることと、外耳突起への音響変換器の位置決め性能を最適化することの少なくとも一方のために、ステレオヘッドホンの音響変換器を聴管に対して斜めに向けて配置することを特徴とする方法。
【請求項４】
請求項１または２に記載の方法において、音響変換器の最適配置の反復決定を、試験対象の左耳と右耳とで別々に行うことを特徴とする方法。
【請求項５】
請求項４に記載の方法において、音響変換器の最適配置の決定を、決定プロセス中に変化する複数のステレオ音声信号によって行うことを特徴とする方法。
【請求項６】
請求項１〜５のいずれか１つに記載の方法において、音響変換器の最適配置を、各場合に新たに反復すべき少なくとも４回の移動手順により決定することを特徴とする方法。
【請求項７】
請求項６に記載の方法において、音響変換器の最適配置を決定するために、少なくとも４回の移動手順のうち、他のものの典型的な特徴の多数を有する１つの移動手順を選択することを特徴とする方法。
【請求項８】
請求項７に記載の方法において、複数の試験対象に対して移動手順を実行することを特徴とする方法。
【請求項９】
請求項８に記載の方法において、聴覚器官に関して健康である少なくとも８人の志願者を、音響変換器の最適配置を決定するために用いることを特徴とする方法。
【請求項１０】
請求項９に記載の方法において、個々の結果の平均を求めることを特徴とする方法。
【請求項１１】
請求項１〜１０のいずれか１つに記載の方法において、音響変換器の傾きの角度と前方下向きの移動距離に関し、外耳に取付けられた状態のステレオヘッドホンの三次元空間位置を基にして、音響変換器の最適配置をミリメートルの精度で決定することを特徴とする方法。
【請求項１２】
請求項１〜１１のいずれか１つに記載の方法において、上方への移動距離と下向き前方への移動距離の比で、２〜１より大きい聴性事象の頭内上方定位を行わせる音響変換器の通常の幾何学的（三次元的）配置を基にして、移動距離に関して最適化と最小化の少なくとも一方を行うステレオヘッドホンの音響変換器の幾何学的配置を、聴性事象の正面方向前方に選択することを特徴とする方法。
【請求項１３】
請求項１〜１２のいずれか１つに記載の方法において、多次元空間音響聴性事象を生じさせるために、音響変換器に、正面方向聴性事象のために音源のステレオ音声信号を供給し、音響変換器の配置を、頭内上部位置の聴性事象のために前記音源のステレオ音声信号から導出されたステレオ間接音を選択することを特徴とする方法。
【請求項１４】
請求項１３に記載の方法において、マルチチャネルステレオヘッドホンにより多次元空間聴性事象を頭内上方定位のために拡張するために、音響変換器の配置を、正面方向とは逆の後方と下方との少なくとも一方へ、正面方向の聴性事象に一致させるように移動させることを特徴とする方法。
【請求項１５】
請求項１〜１４のいずれか１つに記載の方法において、聴性事象の比較目的と測定目的の少なくとも一方のために、頭内上方定位、正面方向定位および多次元空間音響特性を有する聴性事象を生じさせるように、音響変換器相互間で自由に選択可能な切り替えを行うことを特徴とする方法。
【請求項１６】
請求項１５に記載の方法において、聴性事象の正面方向定位と頭内上方定位の少なくとも一方を実現できるようにステレオヘッドホンの各音響変換器をそれの静止位置に確実に配置するために、ヘッドホンカップとステレオヘッドホンの少なくとも一方において耳介の所と耳介の前方の少なくとも一方のセンタリングに用いられるヘッドホンパッドに、音を通し、弾性的なストレスを加えることが可能な物質を満たすことを特徴とする方法。
【請求項１７】
請求項１〜１６のいずれか１つに記載の方法において、中性音響聴性事象を形成するために、低音および中音の伝送レンジを、頭と、ヘッドホン耳パッドおよびカップ構造体の少なくとも一方との結合、および音響変換器の再生周波数応答の修正との少なくとも一方により調整することを特徴とする方法。
【請求項１８】
請求項１〜１７のいずれか１つに記載の方法において、線形的で、くし形フィルタ状である聴性事象の正面方向定位の発生において起きる歪みと比較して、ステレオヘッドホン中の音響変換器の上側中間伝送範囲と頂部伝送範囲の少なくとも一方における音響パターンの中立状態を生じさせる比較的広い帯域の修正を行うことを特徴とする方法。
【請求項１９】
請求項３〜１７のいずれか１つに記載の方法において、振幅を制御できる音響変換器の音量を設定する音声信号を、別々のマルチチャネル増幅により音量設定を行うことを特徴とする方法。
【発明の詳細な説明】
【０００１】
【発明の属する技術分野】
本発明は、複数の（即ち左右各１つの）音響変換器を有し、外耳突起への装着（基準）位置から出発して、正面方向へ所定量だけ、音響変換器が移動可能に配置される形式のステレオヘッドホンおよびその音響変換器の配置を最適化する方法に関するものである。
【０００２】
【従来技術及び問題点】
聴性事象の頭部外定位のためのヘッドホンは修正された自由音場または拡散音場であり、または方向に関して中性的に補償されるものであることが知られている（Ｋ．Ｇｅｎｕｉｔ：“Ｗａｒｕｍ  Ｆｒｅｉｆｅｌｄ“  Ｒｅｐｏｒｔ  ｔｏ  ｔｈｅ  Ｂｅｒｌｉｎ  Ｒａｄｉｏ  Ｅｘｈｉｂｉｔｉｏｎ“，１９８３；  Ｒｕｎｄｆｕｎｋｔｅｃｈｎｉｓｃｈｅ  Ｍｉｔｔｅｉｌｕｎｇｅｎ（無線技術レポート）、巻１／１９８３，１７〜２６ページ、ドイツ特許第３１３１３４７号明細書、Ｆｏｒｔｓｃｈｒｉｔｔｅ  ｄｅｒ  Ａｋｕｓｔｉｋ  （音響技術の発達）−ＤＡＧＡ  １９８７，  ４７７〜４８０ページ）。
【０００３】
この既知の方法の基本は指向性の定位に対して人の耳の性能を模擬したものであって、これは満足できるように適切に定められている。すなわち、身体の上側部分である、胴体、頭、および耳の外側部分を考慮にいれる。それらは人工ヘッド、指向性混合コンソール、およびヘッドホンの実現および修正においてユニットとして考慮される。この領域において、今日では人工ヘッドにおいて主として２種類の開発がなされている。それらの種類は自由音場修正されたものと、拡散音場修正されたものとに分類できる（Ｂｒｕｅｅｌ  ＆  Ｋｊａｅｒカタログ：“Ｈｅａｄ  ａｎｄ  Ｔｒｕｎｋ  Ｓｉｍｕｌａｔｏｒ  ４１２８”、ドイツ特許公開第３１４６７０６号明細書；  Ｒｕｎｄｆｕｎｋｔｅｃｈｎｉｓｃｈｅ  Ｍｉｔｔｅｉｌｕｎｇｅｎ  （無線技術レポート）、巻１／１９８１，１〜６ページ。更に、現在までは、音場の自由音場伝送を主として基にしたただ２つの指向性混合コンソールが開発されているだけである（ＨＥＡＤ−ＡＣＵＳＴＩＣＳ：  ｉｎｆｏｒｍａｔｉｏｎ  ｐａｍｐｈｌｅｔ  ａｎｄ  ｒｅｐｏｒｔ  ｏｆ  ｔｈｅ  １３ｔｈ  Ａｕｄｉｏ  Ｏｐｅｒａｔｏｒｓ  Ｃｏｎｖｅｎｔｉｏｎ，  ミュンヘン、１９８４年、１０３〜１１０ページ、ＡＫＵＴＩＳＣＨＥ  Ｕ．  ＫＩＮＯ−ＧＥＲＡＥＴＥ  社、情報パンフレット）。「人工ヘッド・ヘッドホン」装置の個々の調節の特定の重要性については、種々の面に対して参照が行われる（Ｊ．Ｂ１ａｕｅｒｔ：  Ｓｐａｔｉａｌ  Ａｕｄｉｔｉｏｎ，  Ｐｏｓｔｓｃｒｉｐｔ、  ｎｅｗ  Ｄｅｖｅｌｏｐｍｅｎｔｓ  ａｎｄ  Ｔｒｅｎｄｓ  ｓｉｎｃｅ  ｌ９７２，  Ｓ．Ｈｉｒｚｅｌ  出版社、１９８５，  Ａｃｕｓｔｉｃａ：４８巻、２７２〜２７４ページ）。ここでは、音声信号の伝送法において考慮せねばならない指向性定位のための人の耳の能力を、ｌｄＢの精度で、模擬することに特に注目する。ｌｄＢより大きい周波数応答のずれでは、聴性事象の頭蓋内の定位を他のやり方では避けることができない。その理由は、ヘッドホンによる再生の場合には、聴性事象を音源に割り当てる手順が、結合を行うために求められる視覚的合図（情報）を欠くからである（Ｇ．  Ｐｌｅｎｇｅ：  Ｐｒｏｂｌｅｍ  ｏｆ  ｔｈｅ  Ｉｎｔｒａｃｒａｎｉａｌ  Ｌｏｃａｌｉｚａｔｉｏｎ  ｏｆ  Ｓｏｕｎｄ  Ｓｏｕｒｃｅ  ｉｎ  Ｈｕｍａｎ  Ａｃｏｕｓｔｉｃ  Ｐｅｒｃｅｐｔｉｏｎ、  Ｈａｂｉｌｉｔａｔｉｏｎ、  ＴＵ−Ｂｅｒｌｉｎ  ｌ９７３，  ２５ページ以下）。したがって、人工ヘッドの、または指向性コンソールの、可能な頭部定位を行う単一ステレオ音響信号を、ヘッドホンの前で個々に、かつ指向性をもって、後で補償することがかなり重要である（それらは録音装置に適合する）（Ｆ．  Ｋｏｅｎｉｇ：ドイツ特許公開第３９２２１１８号明細書）。
【０００４】
これ以外に、測定法と、測定装置の設計と、それで得た結果については、外耳の伝送機能の決定に関連してすでに述べた通りである（上記、Ｂ１ａｕｅｒｔ：  Ｓｐａｔｉａｌ  Ａｕｄｉｔｉｏｎ，  Ｐｏｓｔｓｃｒｉｐｔ  参照）。
【０００５】
より迅速に機能する簡単にした手順として得られた（たとえば、周波数に依存するひずみに関して結論を出すことを許す、ほんの数秒の測定時間の後で図形が得られる）音声放射変形「ヘッドホン」に関して、Ｆ．  Ｋｏｅｎｉｇ  により示されている（ドイツ特許公開第３９０３２４６号および第３９１２５８２号の各明細書参照）。
【０００６】
方向的に真の音響放射の録音と再生については、ヘッドホンを用いる音響放射を介する録音の再生における「頭内定位」のうるさい副作用を減少するために、Ｂ１ａｕｅｒｔ／Ｂｏｅｒｇｅｒ／Ｌａｍｓ／Ｋｕｅｒｅｒ／Ｐｌｅｎｇｅ／Ｗｉｌｋｅｎｓ／Ｐｆｌｅｉｄｅｒｅｒなどにより、努力が成されている（ドイツ特許公開第２２３３１６号，  第２６２８０５３号各明細書、第１９２７４０１号、第２２４４１６２号、第２５４５４４６号、第２５５７５１９号の各明細書、Ｆｕｎｋ  Ｔｅｃｈｎｉｋ  （無線技術）６，  ７巻／１９８４、特別版、ドイツ特許公開第３１１２８７４号明細書）。
【０００７】
とくに最後のプロセス（Ｐ．  Ｍ．  Ｐｆｌｅｉｄｅｒｅｒの）に重点を置くことができる。その理由は、「頭の外部定位のためのプロセッサ」で公告されているように、実施のために良い近似で用いられるときに、科学用語に対応する聴性事象の定位でないものを提供するからである（上記、Ｇ  Ｐｌｅｎｇｅ、  ｈａｂｉｌｉｔａｔｉｏｎ  ｐｕｂｌｉｃａｔｉｏｎ，  １９７３，  参照）。この装置はかなり効果的なプロセッサで、ステレオ音に続いて空間音を構成するが、聴性事象の自然の三次元定位において可能な音の方向の近くの１つを実現しない（頭内上方定位からの発散）。すでに述べたように、外耳の指向性はこれに寄与する（上記、Ｂ１ａｕｅｒｔ、  Ｓｐａｔｉａｌ  Ａｕｄｉｔｉｏｎ，  Ｐｏｓｔｓｃｒｉｐｔ参照）。
【０００８】
効果的なプロセッサおよびそれの技術的実現に関しては、多くの論文、出版物および特許出願が現れている。それらはとくに空間反射パターンのシミュレーションについて記述している。したがって、今日では、広範囲のそのような可変的にプログラム可能な残響装置およびエコー装置（空間の寸法、空間構造および空間デザインを含む）を利用することができる。
【０００９】
また、「新しい種類のプレゼンスフィルタ」（Ｊ．  Ｂ１ａｕｅｒｔ：  Ｆｅｒｎｓｅｈ−ｕｎｄ  Ｋｉｎｏ−Ｔｅｃｈｎｉｋ（テレビジョンおよび映画の技術）１９７０，３巻、７５〜７８ページ）が１９７０年以来知られており、また、「外耳伝送の特性を記述するためのモデル」も知られている。そこでは、「前方」および頭の前方における水平から耳のところにおける「横方向」までの音の入射方向の変化中の差の修正が取り扱われている（Ｋ．Ｇｅｎｕｉｔ：博士論文、アーヘン科学技術大学、１９８４，  ８１〜８２ページ）。
【００１０】
最後に、ヘッドホンの音響変換器システムが見る方向で前方へ移動させられるときに、その聴性事象を多少とも正確に水平に前方へ定位できることが知られている。これは、耳介が近い距離の音放射を受けている間に方向づけられた特定の線形修正が行われるためである。ここで、前記の効果を達成するために、見る方向で前方に少なくとも約１０センチメートルの所に音響変換器を置かねばならない。聴性事象の水平前方定位はステレオヘッドホンを用いる音響放射を介する。これは高い費用で実現されるステレオヘッドホンにより支持される。これは、音を放射すべき左右の耳介に対して平行に、別々に変調される低音および中音／高音の音響変換器システムを提供する（ドイツ特許第２５４１３３２号明細書；Ｆｕｎｋｓｃｈａｕ（ラジオ．レビュー）：１０巻／１９７７、５７〜５８および７１〜７２ページ）。
【００１１】
冒頭に述べられている形式のステレオヘッドホンは米国特許第３５９２９７８号明細書により知られている。この既知のステレオヘッドホンは音響変換器システムを有する。この音響変換器システムは外耳突起の所に直接に通常のようにして取り付けられるのではなく、見る方向で前方へ所定量だけ移動させられるようにして、外耳突起からある距離で垂直軸の周囲にピボット（曲折）されている。しかし、その音の方向の前方への移動距離は非常に小さいから、見る方向に少なくとも１０ｃｍ移動する前記の音響変換器の配置の場合とは異なって、聴性事象の水平前方定位を達成するためには決して十分ではない。その理由は、米国特許第３，５９２，９７８号明細書のものでは聴性事象の水平前方定位をどのようにして達成するかについては何の議論もしていないからである。実際にそうであるから、通常のヘッドホンの頭内上方定位はこの既知のステレオヘッドホンに対して維持される。そのステレオヘッドホンは不自然に音を生じ、長い間聴いているとうるさく感ぜられる。
【００１２】
冒頭に記載されている形式の別の公知のステレオヘッドホンが米国特許第３７５１６０８号明細書により知られている。この既知のヘッドホンは、米国特許第３５９２９７８号明細書により知られているものに類似する音響変換器システムの配置を行う。すなわち、外耳突起からある横方向距離で、正面方向へピボット（旋回）される。この既知のステレオヘッドホンは正面方向の音響変換器システムの配置により特徴づけられ、それは聴性事象の正面方向定位に対しては小さすぎる。更に、米国特許第３７５１６０８明細書により、下記の種類の音響変換器システムを最適化するための方法が知られている。即ちこの方法は、試験対象の外耳突起に装着された音響変換器の基準配置位置から出発して、各音響変換器の移動を行うことにより音響変換器の配置を実験的に最適化して正面方向へ聴性事象を定位する、ステレオヘッドホンの左右音響変換器の配置を最適化する方法である。それに従って、とくに、正面方向の、両側の音響変換器システムの配置の変更を実験的に最適化することにより聴性事象を創り出すことができる。
【００１３】
【発明により解決しようとする課題】
本発明の第１の視点における目的は、聴性事象の前方定位が簡単な手段で確実に達成されるように改善された、冒頭に記載された形式のステレオヘッドホンを提供することである。更に本発明の第２の視点における目的は、音響変換器の配置を迅速かつ確実に定められる、上述の形式のステレオヘッドホンの音響変換器の配置を最適化する方法を提供することである。
【００１４】
【課題の解決手段】
本発明の第１の視点における目的は、ステレオヘッドホンに関して、下記の態様に記載の構成により達成される。即ち、左右各１つの音響変換器を有し、外耳突起への装着基準位置から出発して、正面方向へ所定量だけ、前記音響変換器が移動配置されるステレオヘッドホンであって、左右各カップ内において前記各音響変換器は正面方向において下方へ、頭内上方定位をほぼ正面方向に定位させる聴性事象へ変換するのに適切な量だけ、前記正面方向の移動量を超えて更に移動可能に構成したことを特徴とする。（態様１）
【００１５】
本発明のステレオヘッドホンの好適な実施態様（態様２）が次のように与えられる。即ち、
ａ）音響変換器の外耳突起への装着位置を基準にした頭内上方の聴性事象の位置、または
ｂ）  聴性事象水平前方の位置
のいずれかのために、音響変換器が三次元的に可変配置可能に構成されることを特徴とする。（態様２）
【００１６】
本発明の第２の視点における方法（即ち本分割出願の対象）に関して、試験対象の外耳突起に装着された音響変換器の基準配置位置から出発して、各音響変換器の移動を行うことにより音響変換器の配置を実験的に最適化して正面方向へ聴性事象を定位する、ステレオヘッドホンの左右音響変換器の配置を最適化する方法であって、聴性事象の正面方向定位のためにステレオヘッドホンの音響変換器の配置を最適化するために各音響変換器の配置を、所定のステップ幅で下方と前方へ交互に繰返し移動することにより、聴性事象の正面方向定位のために、更に、下方へ正面方向の移動量を超えて移動させることを特徴とするステレオヘッドホンの音響変換器の配置を最適化する方法が提供される。（態様３）（請求項１）
【００１７】
【発明の実施の形態】
本発明の好適な実施態様４〜２１は以下のとおりであり、請求項２〜１９の各対象である。
（態様４）
所定のステップ幅は５ミリメートルより小さいことを特徴とする態様。
（態様５）
外耳突起における音響放射効率を高くすることと、外耳突起への音響変換器の位置決め性能を最適化することの少なくとも一方のために、ステレオヘッドホンの音響変換器を聴管に対して斜めに向けて配置することを特徴とする態様。
（態様６）
音響変換器の最適配置の反復決定を、試験対象の左耳と右耳とで別々に行うことを特徴とする態様。
（態様７）
音響変換器の最適配置の決定を、決定プロセス中に変化する複数のステレオ音声信号によって行うことを特徴とする態様。
（態様８）
音響変換器の最適配置を、各場合に新たに反復すべき少なくとも４回の移動手順により決定することを特徴とする態様。
（態様９）
音響変換器の最適配置を決定するために、少なくとも４回の移動手順のうち、他のものの典型的な特徴（Ｋｅｎｎｚｅｉｃｈｅｎ）の多数を有する１つの移動手順を選択することを特徴とする態様。
（態様１０）
複数の試験対象に対して移動手順を実行することを特徴とする態様。
（態様１１）
聴覚器官に関して健康である少なくとも８人の志願者を、音響変換器の最適配置を決定するために用いることを特徴とする態様。
（態様１２）
個々の結果の平均を求めることを特徴とする方法。
（態様１３）
音響変換器の傾きの角度と前方下向きの移動距離に関し、外耳に取付けられているステレオヘッドホンの三次元空間位置を基にして、音響変換器の最適配置をミリメートルの精度で決定することを特徴とする態様。
（態様１４）
上方への移動距離と下向き前方への移動距離の比で、２〜１より大きい聴性事象の頭内上方定位を行わせる音響変換器の通常の幾何学的（三次元的）配置を基にして、移動距離に関して最適化と最小化の少なくとも一方を行うステレオヘッドホンの音響変換器の幾何学的配置を、聴性事象の正面方向前方に選択することを特徴とする態様。
（態様１５）
多次元空間音響聴性事象を生じさせるために、音響変換器に、正面方向聴性事象のために音源のステレオ音声信号を供給し、音響変換器の配置を、頭内上方位置の聴性事象のために前記音源のステレオ音声信号から導出されたステレオ間接音を選択することを特徴とする態様。
（態様１６）
マルチチャネルステレオヘッドホンにより多次元空間聴性事象を頭内上方定位のために拡張するために、音響変換器の配置を、正面方向とは逆の後方と下方との少なくとも一方へ、正面方向の聴性事象に一致させるように移動させることを特徴とする態様。
（態様１７）
聴性事象の比較目的と測定目的の少なくとも一方のために、頭内上方定位、正面方向定位および多次元空間音響特性を有する聴性事象を生じさせるように、音響変換器相互間で自由に選択可能な切り替えを行うことを特徴とする方法。
（態様１８）
聴性事象の正面方向定位と頭内上方定位の少なくとも一方を実現できるようにステレオヘッドホンの音響変換器をそれの休止位置に確実に配置するために、ヘッドホンカップとステレオヘッドホンの少なくとも一方を耳介の所と耳介の前方の少なくとも一方のセンタリングに用いられるヘッドホンパッドに、音を通し、弾性的なストレスを加えることが可能な物質を満たすことを特徴とする態様。
（態様１９）
中性音響聴性事象を形成するために、低音および中音の伝送レンジを、頭と、ヘッドホン耳パッドおよびカップ構造体の少なくとも一方との結合、および音響変換器の再生周波数応答の修正との少なくとも一方により調整することを特徴とする態様。
（態様２０）
線形的で、くし形フィルタ状である聴性事象の正面方向定位の発生において起きる歪みと比較して、ステレオヘッドホン中の音響変換器の上側中間伝送範囲と頂部伝送範囲の少なくとも一方における音響パターンの中立状態を生じさせる比較的広い帯域の修正を行うことを特徴とする態様。
（態様２１）
振幅を制御できる音響変換器の音量を設定する音声信号を、別々のマルチチャネル増幅により音量設定を行うことを特徴とする態様。
【００１８】
本発明の要点は、頭内上方定位を妨害するベクトル的な部分音響方向「下部」補償と、指向性「前方の」付加補償とから成る。それは、
ａ）頭から離れた外部定位、または
ｂ）聴性事象の水平方向前方定位（録音法、たとえば音の缶詰化、とは別物である）を生ずるために適用される。
【００１９】
言い換えると、試験対象の短距離音響放射においては、たとえば人工的なヘッドサウンド録音の頭部に関連するステレオ音再生中の「水平方向前方」であるとしての方向性の知覚は、音の入射の方向性に特有である人の解剖学的聴覚の個々の指向性（への指示）特性によって（精度はｌｄＢ）確保されるのではなく、音の入射の指向性の２つの成分、「下方」および「前方」、の合同によって確保されるものである。
【００２０】
これに関連して、本発明に従い（ヘッドホンの音響変換器システムの）「下方」の補償移動の全体的な無視があるものとすると、個人の指向性特性がｌｄＢのしきい値を超えたときに示されるように、聴性事象の方向についての同じ望ましくない知覚が行われる結果となる。即ち、聴性事象は正面方向であると知覚されるが、斜め上方約４５°に定位される（ほぼ頭内上方定位。これは既知の頭に関連するステレオ音の録音過程および再生過程の特性特徴に相当する）。
【００２１】
本発明のヘッドホンの音響変換器システムの配置を最適化する方法として、ヘッドホンの音響変換器を移動して、前方定位を行う距離を最小にするための努力が成される。このために、好ましくは高帯域拡散音場修正されたステレオヘッドホンと、そのステレオヘッドホンの音響変換器の少なくとも一方が用いられる。
【００２２】
このプロセスのために、ステレオヘッドホンの音響変換器装置の下向き補償移動のみを用いて、指向性を明確に決定できないような「仮想聴性事象」が実現される（しかし前方方向のみを強調して）ようにして、通常起こる頭内上方の聴性事象の定位を打ち消すのがよい。
【００２３】
更に、正面方向とは反対の水平方向で、言い換えると背後方向で、聴性事象を実現するためには、聴性事象の前方定位のために修正された両チャネルの聴性事象の左右のチャネルを交換するのがよい。
【００２４】
また、音にさらされる各耳介に対して改善された空間性および空間音響を生ずるためにマルチチャネル音響変換器システムが用いられる場合、聴性事象の前方定位のために前下方向に置かれているヘッドホン音響変換器システムの他に、正面方向とは反対側で、外耳構造の下方背後におけるヘッドホン音響変換器システムの配置を、態様１６に従って選択することも有利である。態様１５に従って全部で４つの音響変換器が別々に変調される。
【００２５】
この他に、態様１９または２０に従って、ステレオヘッドホン音響変換器の再生特性を、上体部の反応および頭部の反応で、約３００Ｈｚにおいて３ｄＢの音響信号へ拡張することが有利である。これは、たとえば、ＢＬＡＵＥＲＴ  およびＧＡＮＵＩＴ  により詳しく説明されている。これは本発明のヘッドホンのデザインにとって特に有利なものである。
【００２６】
それは、それの設計において、すなわち、それの伝送特性において、理論的な信号伝送ベースに従って特に修正されている（たとえば、反射空間において）。これは、音響変換器システムの従来の位置決めからずれる場合には、もはや正確には固執されないから、音響パターンの調節（たとえば、拡散音場型ポスト・エンファシス）が態様１９または２０の構成に従って行われる。ここでは、くし形フィルタ構造により発生された狭帯域（３分の１より狭い帯域幅）ひずみが、広帯域（３分の１より広い帯城幅）擬似指向性中立修正を介して全聴取範囲にわたって音響的に最小化される（とくに、人の音響刺激の知覚におけるマスキング効果を利用して）。
【００２７】
更に、態様２１に従って、増幅器により、電気的伝送特性に関する、ヘッドホン音響変換器システムの変調は下記の要求を具体化するように行うのがよい。すなわち、
・９６ｄＢより大きいＳＮ比、
・６０ｄＢより広い音量範囲、
・０．５ｄＢより小さい線形ひずみ（最大偏移）、および
・０．１％より小さい非線形ひずみ
である。
【００２８】
従来技術との比較において本発明により得られる利点は、とくに、次のとおりである。
ａ）録音（たとえば支持点技術、人工ヘッド技術のようなモノーラルまたはステレオ）のために用いられる手順とは独立に、水平前方定位（ステージ効果）が実現されること、
ｂ）現在までは前方定位の発生において生じていたステレオベース幅の減少（従来技術に従って、たとえば、頭内上方定位のステレオヘッドホンの正常な音放射の１８０°から、正面方向前に約１０センチメートルの前方定位を許すヘッドホン音響変換器システムの１２０°アパーチャ角度までの、推奨されるステレオパノラマ）がかなり小さいことが判明していること（ここでは、移動距離が短いから、１６０°より大きい）、
ｃ）ヘッドホンの種類の個々の定位移動修正の効率がほとんど影響を受けないままであるから、とくに周波数応答と音響変換器システムを考慮する必要がないこと、
ｄ）頭部に関連する信号の定位における所望の移動の種類と時点を自由に決定できること、
ｅ）指向性における「前方」エンファシスに関連して、頭内上方定位を打ち消す「下向き」方向へ移動する補償音響変換器の存在に関する知識または科学的言説の欠除のために（上記文献参照）、ヘッドホンの音放射を介して、たとえば、コンサートホールの実際の空間音響特性を、音響信号源とは独立に生成できる（ヘッドホンクオドラフォニイ。主として頭内上方定位、「前方を意図された」信号の前方音位置決定の低い割合参照）こと、
ｆ）移動距離に関する前方移動と比較して、ヘッドホン音響変換器システムのかなり優勢である下向き移動により、適切な聴性事象を示すために要求されていた移動距離の半分以上が節約されること、
ｇ）したがって、場合によっては、前方定位を可能とする耳介の前方の音響変換器配置によって生ずる低音損失が小さい値に減少させられ、中間周波／高周波音響変換以外に、耳介に直接追加の低音変換器システムを要求しないこと、
ｈ）人工ヘッドと指向性混合ソールの少なくとも一方を用い、かつ耳の平均指向特性を用いる録音法の結果として、頭内上方定位が個々に減少させられるために、方向的に正確な音の再生が行われることになるが、「下方」再生補償修正により、著しい平均修正で行われること、
ｉ）したがって、とくに、「前方」と「背後」を区別するために人工ヘッド録音により構成された直接位置決定情報が強められること、
ｊ）この理由から、ヘッドホン音配置位置に対して望まれる作用を行うために「平均」フィル夕の導入も成功を約束すること（比較すると、「平均」補償修正は、ヘッドホンを介して再生されて、修正されておらず人工ヘッドのみからの「前方で」受けられる音源より良い前方定位を行うこと、
ｋ）耳介の形の個々の作用のために、聴性事象の水平前方位置決めを指示する１組の（ステレオヘッドホンの）音響変換器の測定された幾何学（三次元）的「平均」配置が、正面方向の音の刺激の知覚を生ずること（前提条件：聴覚組織が健康な人）、
ｌ）電気的な、フィル夕に拘束された、ヘッドに関連する、個々の前方修正のために求められていた（音響的に不活性な、すなわち反射の少ない費用のかかる測定室の必要性を含めて）測定技術のための費用がコスト的に一層好ましいことが現在判明していること、
ｍ）たとえば、電気通信（聴性（スピーカ）事象と、自身の前方に配置されているモニタ画像上の視覚事象の）とともに、前方定位を許すステレオヘッドホンの、通常のハイファイ応用以外での、可能な利用が提供されること。
【００２９】
［実施例］
以下、図面を参照して本発明を詳しく説明する。
【００３０】
まず初めに、ヘッドホンセットから音を受けた試験対象者に、本発明にとって典型的である聴性事象の場所を定めるための試験の重要な効果の全てを説明する。これの特殊な部分は、一般に
ａ）頭内上方定位された（すなわち、「頭の頂部における」９０度垂直に配置された）聴性事象、および
ｂ）頭の前方外側に定位された（すなわち、正面方向の水平方向０度に配置された）聴性事象、
の正確な弁別可能性および分類可能性であった。これは試験を行う人により示された。
【００３１】
ａ）とｂ）の間に流れるような遷移が一度存在すると、とくに前方定位を許す新しいヘッドホン音響変換器の位置を定めねばならない場所を決定するための切迫（先行）している試験において、たとえば、ひたいの前方の（二等分平面内の）正面方向に４５度の角度であると知覚される聴性事象が位置させられねばならない。この音の位置を定める性能は特別な重要性を得た。これのねらいは、試験対象自身が、心地好いとして知覚された音楽を通常聴いている間に、移動させられているヘッドホン音響変換器システムにより任意の時刻にｂ）に従って水平方向前方定位を実現することが独立にできることであった。
【００３２】
これは「ステージ効果」と名付けられる。その理由は、主観的に知覚される聴性事象の場所が「前方」としてシミュレートされるからである。実際にはその場所にはたとえばオーケストラは存在しない。
【００３３】
これに関連して、ステレオ音響技術を用いて録音された任意の種類の録音が推奨される。ある状況の下ではステレオヘッドホンでは明瞭な頭内上方定位が見出されないから、人工ヘッド音楽作品は不適当である。
【００３４】
試験対象が「ステージ効果」を構成する前に、すなわち、水平前方定位の前に、その手順モードの概観を予め定めておかねばならない。図１は、正中面上のベクトル表現の助けにより、修正されていない、すなわち、製作者の指示に従って装着されたステレオヘッドホン音響変換器システムで音源を位置決めする成分１を示す。５は１つのヘッドホンカップの輪郭を示している。この定位はステレオヘッドホンにより音が放射される聴性事象の頭内上方定位１に対応する。第２のベクトル２は、ステレオヘッドホン音響変換器システムの位置が移動させられるときに補償方向「下」を形成する。これにより、頭内上方１に対する音源の位置決め部分が除かれる。ベクトル３は、前方である、すなわち、「ステージ効果」であるとしての聴性事象の方向の知覚のエンファシスを表す。ここでは、製作者の指示に従って外耳に装着されているステレオヘッドホン（ヘッドホンカップの輪郭で表されている）が、運動ベクトル２と３に従って、聴性事象の前方定位を許す位置へ動かされる（図１の部分６を参照）。また、ヘッドホンの音響変換器システム６が、音響効果のために例えば３０度の角度で外耳４へ動かされる（ヘッドホン音響変換器システム６における輪郭の斜視表現に従って）。音の拡がる方向はここではベクトル７により表されている。
【００３５】
図１に従って、理論的に概略的に取り扱われるそれらの手順は、実施することと同等の価値がある。ここでは、試験対象に、音たとえば音楽をヘッドホンによりステレオでもう１度加えることが重要である。市販の総ての製品は試験ヘッドホンとして適当であり、それは、
ａ）「開放」原理で動作し、かつ、
ｂ）耳を囲み、
ｃ）調節可能なヘッドバンドを有し、かつ、
ｄ）複数の軸上で（位置）調節できる音響変換器を有し、さらに、
ｅ）各チャネルに対する音響変換器システムは、点状音源に対応する。たとえば、寸法が１００ｍｍ×１００ｍｍである広い表面の放射体は、方向探知試験のコンテキスト内では（完全に）不適当である。聴性事象の水平前方定位の隠された狙いのために、下記の反復作業法が採用される。
【００３６】
初めに、ステレオヘッドホンは製作者の指示状態として置かれ、それから音響変換器の信号変調器が動作させられる。次に、（左右）両側のヘッドホン音響変換器システムが両手で、頭／こめかみ側の表面から、ほぼ十分に（約５〜１０ｍｍ）持ち上げられて、ヘッドホンのパッドが耳介にやっと接触するようにする。それから、ヘッドホン音響変換器システムが、各場合に（その都度）前方（正面方向で）および下方（正面水平方向に直角に）に５ｍｍより小さいステップで、聴性事象の空間位置に注意を向けつつ、動かされる。
【００３７】
一般に、１５ｍｍの二次元移動距離の後で、聴性事象の定位における移動が起こる（正中面内のたとえば３０度前方の仰角）。これはステレオヘッドホンの移動プロセスを実現させる。それは今はもはや変化しないが、聴性事象の位置決めにおいて個々の移動のケースに依存させられる。いま述べた例においては、３０度の仰角で、聴性事象の適切な前方エンファシスを既に仮定することができる。この理由から、下方へ数ｍｍに達する追加の補償移動が推奨される（頭内上方定位とは逆方向に向けられる）。この移動により、依然として水平前方定位に対応しない聴性事象に対する位置を生ずるものとすると、行われたばかりの下方移動は、選択されたｍｍオーダ一の距離に関して半分にされる、すなわち、半分に減少させられる。それから、求められている「ステージ効果」が、経験的なやり方で、加えられるか差し引かれるかして、更に減少させられた移動ステップにより最適化される。この例においては、まず前方への１〜２ｍｍの移動が選択され、これの後でのみ、これ以上の経験的な平衡移動プロセスが行われる。
【００３８】
前方定位を許すステレオヘッドホンの新しい位置が見付けられると、最後に、
ａ）約１ｍｍの下方への小さい補助移動が加えられ、
ｂ）耳道の音放射効率を高くするために、両方のヘッドホン音響変換器システムが耳介／耳道へ向かってある角度で配置される（水平および正中面内で方位角と仰角が約２０〜４０度）。ここで聴性事象の知覚された位置が好ましくはないが変化したとすると、ヘッドホン音響変換器システムの小さい修正運動（上記参照、「経験的な、平衡移動プロセス」）がもう１回行われ、ヘッドホンはある角度で保持される。
【００３９】
例を提供するために、商業的に広く利用でき（開放性、耳を覆う）、かつ、（直径が約３０ｍｍである）円形の音響変換器を有するヘッドホンモデルで、垂直下方に４５ｍｍ（方位角／仰角が３５度）の最終の移動距離が得られる。他方、ウォークマン（商品名）ヘッドホンモデルが用いられた時に約５０％だけ小さい、最終の移動距離のものが用いられる。ここで、聴覚器官（チャネル）が基準点として用いられ、それの前方に、製作者の指示に従って装着されるヘッドホンが通常は中央に配置される。試験対象ではこれは現在の比（下方移動距離と水平移動距離の比）３：１（下方へ４５ｍｍ：前方へ１５ｍｍ）に対応する。
外耳の交換可能なマルチチャネル音響放射について、前方定位を許し、かつ前方下方に置かれている音響変換器システムの横（近く）に（各耳介に対して）（直接の、すなわち処理されていない音声信号）第２の音響変換器システムを置く（空間反射率パターンを用いる変調）。それは、正常な場合には、製作者の指示に従って耳介の前方に置かれ、聴覚器官基準点を基にして、後方および下方へ移動させ、最後に所定位置に置かれる。これに適当な音響変換器のための休止（静止）位置を見付けることに関しては、上記手順ステップが実行される。これに関連して、最大の効果を生ずる最小の移動距離が求められる。これは、下方および後方に置かれたその音響変換器システムがステレオ音声信号で変調されたときに、音が軽く後方定位される「仮想」聴性事象を生ずる。
【００４０】
ステレオヘッドホンを用いて音を放射する聴性事象の後方定位に対する音響変換器システムの一般的な後方位置決めおよび下方位置決めは費用がかかりすぎるから、より大きい移動距離を生ずる外耳（「解剖学的」方向依存フィル夕）の形状のために実用性に乏しい。
【００４１】
最後に、前方および下方［Ｉ］と、後方および下方［ＩＩ］に置かれた音響変換器システムが、もともと割り当てられていた［Ｉ］に対しては直接音声信号で、また［ＩＩ］に対しては空間反射パターンの音声信号で変調され、それから聴性事象が提示される。その聴性事象は空間に関して三次元的に再評価され、もう１回拡げられる。
【００４２】
前方定位も許す、ステレオヘッドホン音響変換器システムに対するこの位置は、幾何学的配置の形状内のデータの収集及び外耳減衰率の収集が終わるまで、一定に保たれる。
【００４３】
ヘッドホンが移動させられたときの線形ひずみの測定は、方向の移動とは独立である前方定位のシミュレーションを行うために、周波数に依存する差レベルが形成され、それから、本発明に従って、ステレオヘッドホン音響変換器システムの必要な、加算的な続行するプリエンファシスが下記のようにして得られる。すなわち、最初に、適当なプローブが耳道の中に約４ｍｍ埋めこまれる。ここで適当とは、後で修正されたプローブが測定に全体として手を加えず（音量範囲は５８ｄＢより広く、調波ひずみが０．１％より小さく、周波数応答は２０Ｈｚ〜２０ｋＨｚ）、または試験対象を傷つけない、ということを意味する。（プローブは超小型マイクロホンカプセルであって、耳道（チャネル）からホースに類似の音供給体を介して音声信号サンプルを取り出す。）
【００４４】
後で信号を更にデジタル処理するために、いわゆる「デジタルマイクロホン」（録音スタジオにおいて知られている）を用いるためにより高感度にする。適当な種類は現在、市場では入手できない。
【００４５】
超小型マイクロホンにより発生された（アナログ）電気交番信号（約１０ｍＶ）は、通常、０．５Ｖより高い電圧レベルにまで増幅される。というのは、実際のＥＤＰ（電子データ処理）装置の前に、その信号を更に処理するために用いられるアナログ／デジタル変換器が量子化区域内で良好に動作せず、したがって不十分なレリーズすなわち音声信号サンプリング品質を提供するようになるからである。
【００４６】
多数の測定法から、２０Ｈｚから２０ｋＨｚの正弦波掃引が選択された。その理由は、外耳ヘッドホン音響変換器システムを直ちに反応させると、周波数依存の形でプロセスにレベル変動を引き起こすことが、方法の基礎をなすからである。音のレベルは７５ｄＢＳＰＬ以下が通常選択される。
【００４７】
代表的な周波数応答図「ヘッドホン正常」（製作者の指示に従って耳介上に置かれた）と、「変えられた位置」から構成される差信号レベルの以後の形成、すなわち、第１に名付けた図（「ヘッドホン正常」の図）のレベル値と第２に名付けた図（「変えられた位置」の図）との差レベル値は、たとえば、図２に示されている特性図に対応する。それは一人の個人の外耳を用いて録音された（「平均」音位置決定へ向かう方向で）ものである。
【００４８】
第１に、１．８および３．６Ｈｚを中心として２つの広帯域４ｄＢの増加が注意を引き、また５ｋＨｚ〜８ｋＨｚの間の広帯域の１８ｄＢ減衰が注意を引く。第２に、４．８ｋＨｚを中心とする共振（最高レベル５．５ｄＢ）と、８．５ｋＨｚを中心とする共振（最高レベル３ｄＢ）と、１１ｋＨｚにおける嵌入（最低レベルマイナス７ｄＢ）との狭帯城共振を認識することができる。約１２ｋＨｚからくし形フィル夕に類似するやり形で、共振および減衰が約２ｋＨｚの周期で交番する。
【００４９】
１人（Ｎｏ．１）で測定された差レベル周波数応答グラフは、１ｋＨｚの周波数以下ではレベルのどのような違いももはや含まない。それらはヘッドホンにより発生された前方定位に関連する。これは正しく、一般的妥当性を有する。その理由は、
ａ）外耳のサイズのために、外耳の形状は、約ｌｋＨｚの周波数以上でのみ音響ダンパおよび音響共振器として機能することができ、また
ｂ）周波数応答が低音セクタまで連続して低下することは、製作者の指示で外耳に置かれ（装着され）なかったステレオヘッドホンで「開放」型音響変換器システムの効率が低下することを示す、
からである。
【００５０】
この理由から、これより低い周波数応答領域を付加的なレベルの向上（たとえば、３００Ｈｚにおいて３分の１ワイド＋３ｄＢ）と低下の少なくとも一方により、実効的に拡張すべきかどうかを調べ、聴性事象の音声信号広帯域水平前方定位を改善するために、聴力テストによってその領域を再び細かに調べる。
【００５１】
他の差レベル図とは対照的に、１．８ｋＨｚ以下の周波数応答の相対的な低下と、５〜８ｋＨｚ領域における低下と、１．５〜５ｋＨｚの間および８ｋＨｚ、ならびにここではとくに１２ｋＨｚ以上に平均化されたものをここでは特に具体化する。周波数応答において目立つ点を数百ヘルツの範囲にわたって分布させることができる。更に、幅（１〜３ｄＢ）が約３分の１の相対的な強調を５００Ｈｚ以下で散発的に見ることができる。低い周波数へ向かう周波数応答の連続低下（ｌｋＨｚレベル値と比較して約５ｄＢ）に対してマイナス１０ｄＢの目立つ低音嵌入が、測定中に誤りにより生じた。
【００５２】
これは、前方定位を許す音響変換器のステレオヘッドホンにおける現在の配置による直線ひずみのさらなる記録を示す図３により支持される。図３に示す測定のために別の志願者（第２の）が試験を行った。試験対象ＩとＩＩの外耳の種々の解剖学的特徴にも関わらず、両方の差レベルグラフ（図２と図３参照）の間の重要な周波数範囲において高い相関があった。それは２ｋＨｚ、４ｋＨｚおよび８ｋＨｚ以下の周波数におけるレベルを超える値と、６ｋＨｚと１１ｋＨｚを中心とする周波数のダンピング嵌入とによりサポートされる。同様に、図３において、周波数応答の低い信号までの連続低下を決定することができる。このことは図にも見られ、図２におけるものに類似する。
【００５３】
【発明の効果】
本発明の基本構成（請求項１）により、ステレオヘッドホンの音響変換器の配置を迅速かつ確実に定めて最適化し、聴性事象の前方定位が確実に達成される。さらに、各従属請求項の特徴によって、本文に詳述の通り、夫々特有の効果が達成される。
【図面の簡単な説明】
【図１】図１は、垂直平面上に配置され、本発明による聴性事象の前方定位を許す位置に従来型のステレオヘッドホンのヘッドホン音響変換器の移動プロセス中に起こる音の位置を示す成分のベクトルを示す。
【図２】図２は、本発明による前方定位のシミュレーションにより生じた試験対象Ｎｏ．１に対するレベルの周波数特性を示す。
【図３】図３は、試験対象Ｎｏ．２に対する図２と同様のレベルの周波数特性を示す。
【図１】
0003612311.tif 000002
【図２】
0003612311.tif 000003
【図３】
0003612311.tif 000004